(57)【要約】【課題】段差を生じさせることなく、下枠の脱衣室側端部とこれが固定される脱衣室床との高さレベルを簡単に調整することができる浴室建具を提供することを課題とする。【解決手段】建具枠３と建具枠３に開閉自在に支持した建具本体２とから成り、建具枠３の下枠１２の脱衣室Ｂ側端部を脱衣室床５にビス止めする浴室建具１において、下枠１２は、建具本体２を支持する下枠本体２３と、見込み方向の浴室Ａ側端部が下枠本体２３に連結され脱衣室Ｂ側端部が脱衣室床５にビス止めされる床固定片２５と、を備え、床固定片２５は、下枠本体２３に対し角度調節可能に連結されている。【選択図】　図３
2004076288.tif 000002
【特許請求の範囲】
【請求項１】
建具枠と前記建具枠に開閉自在に支持した建具本体とから成り、前記建具枠の下枠の脱衣室側端部を脱衣室床に固定する浴室建具において、
前記下枠は、前記建具本体を支持する下枠本体と、見込み方向の浴室側端部が前記下枠本体に連結され且つ脱衣室側端部が前記脱衣室床に固定される床固定片と、を備え、
前記床固定片は、前記下枠本体に対し角度調節可能に連結されていることを特徴とする浴室建具。
【請求項２】
前記床固定片は、前記下枠本体に対し回動可能に連結され、
前記下枠本体と前記床固定片との相互の連結部は、相互の回動範囲を水平状態から上下浅い角度に角度規制されていることを特徴とする請求項１に記載の浴室建具。
【請求項３】
前記下枠本体と前記床固定片との相互の連結部には、前記下枠本体および前記床固定片の上面間に渡って配設され、前記下枠本体および前記床固定片間の間隙をシールする連結部カバーが設けられていることを特徴とする請求項１または２に記載の浴室建具。
【請求項４】
前記連結部カバーは、前記下枠本体および／または前記床固定片に対し上側から着脱自在に装着されていることを特徴とする請求項３に記載の浴室建具。
【請求項５】
前記床固定片と前記連結部カバーとが、一体に成形されていることを特徴とする請求項３に記載の浴室建具。
【発明の詳細な説明】
【０００１】
【発明の属する技術分野】
本発明は、浴室の出入口として脱衣室との間に設けられる浴室建具に関する。
【０００２】
【従来の技術】
従来の浴室建具では、その下枠の脱衣室側端部を水平片とし、この水平片を脱衣室床の端部に載置してビス止めするようにしている。
また、他の従来技術として、下枠の脱衣室側端部を下向きのＬ字片とし、これにＬアングルを背あわせにしてねじ止めすると共に、このＬアングルを脱衣室床の端部にビス止めするものも知られている（例えば実公昭４９−６１９２号公報）。
【０００３】
【発明が解決しようとする課題】
このような従来の浴室建具において、設置した下枠と脱衣室床との高さレベルが合わない場合には、下枠の下面に厚み調整用のライナーを介設することで、位置合わせるようにしている。
しかし、浴室床、下枠および脱衣室床に段差が生じないようしたバリアフリー設計の浴室では、浴室床と脱衣室床との高さレベルが合っていないと、下枠を浴室床に合わせたときに、脱衣室床と合わなくなる問題がある。
もっとも、上記後者の従来技術を応用して、Ｌ字片とＬアングルとの間で高さ調整して、下枠と脱衣室床とのレベルを合わせることも可能であるが、この部分で高さ調節を行うとこの部分に段差が生じてしまう問題がある。
【０００４】
本発明は、段差を生じさせることなく、下枠の脱衣室側端部とこれが固定される脱衣室床との高さレベルを簡単に調整することができる浴室建具を提供することを課題とする。
【０００５】
【課題を解決するための手段】
本発明の浴室建具は、建具枠と建具枠に開閉自在に支持した建具本体とから成り、建具枠の下枠の脱衣室側端部を脱衣室床にビス止めする浴室建具において、下枠は、建具本体を支持する下枠本体と、見込み方向の浴室側端部が下枠本体に連結され且つ脱衣室側端部が脱衣室床にビス止めされる床固定片と、を備え、床固定片は、下枠本体に対し角度調節可能に連結されていることを特徴とする。
【０００６】
この構成によれば、建具本体を支持する下枠本体に対し、下枠の脱衣室側端部を構成する床固定片が角度調節可能に連結されているため、下枠と脱衣室床との高さレベルが合っている場合には、床固定片は、下枠本体と脱衣室床との間に水平に掛け渡された状態で脱衣室床にビス止めされ、合っていない場合には、床固定片は、下枠本体と脱衣室床との間に幾分傾斜した状態で掛け渡される。すなわち、下枠に対し脱衣室床が高い場合には、固定片は先上がり傾斜して脱衣室床に固定され、低い場合には、固定片は先下がり傾斜して脱衣室床に固定される。したがって、下枠と脱衣室床との間に段差を生じさせることなく、下枠と脱衣室床との高さレベルの相違を吸収することができる。
【０００７】
この場合、床固定片は、下枠本体に対し回動可能に連結され、下枠本体と床固定片との相互の連結部は、相互の回動範囲を水平状態から上下浅い角度に角度規制されていることが、好ましい。
【０００８】
この構成によれば、想定される調整範囲に合わせて、下枠本体に対する床固定片の角度規制を行うようにしているため、下枠本体に連結した床固定片が大きくふらつくことがなく、下枠を設置することで、床固定片を脱衣室床に無理なくセットすることができる。すなわち、下枠を設置することで、自動的に床固定片の角度調節を行うことができ、施工性を向上させることができる。なお、床固定片は、運搬や保管を考慮し、下枠本体に対し見込み方向に抜止め状態で連結されていることが、好ましい。
【０００９】
これら場合、下枠本体と床固定片との相互の連結部には、下枠本体および床固定片の上面間に渡って配設され、下枠本体および床固定片間の間隙をシールする連結部カバーが設けられていることが、好ましい。
【００１０】
脱衣室側であっても、風呂上り等では体から滴下した水滴により床を濡らすことがある。この構成によれば、連結部カバーにより、下枠本体および床固定片間の間隙から駆体側（床下）に漏水するのを防止することができる。また、連結部カバーにより、下枠本体と床固定片との連結部分における足着き性が損なわれることがない。
【００１１】
この場合、連結部カバーは、下枠本体および／または床固定片に対し上側から着脱自在に装着されていることが、好ましい。
【００１２】
この構成によれば、連結部カバーの破損や劣化に対し、これを簡単に交換することができる。なお、連結部カバーは、下枠本体に且つ押込み形式で装着されることが好ましい。
【００１３】
同様に、床固定片と連結部カバーとが、一体に成形されていることが、好ましい。
【００１４】
この構成によれば、床固定片と連結部カバーとを簡単に製造することができ、且つこれらを簡単に組も込むことができる。なおこの場合、床固定片を硬質樹脂とし連結部カバーを軟質樹脂として、これらを複合押出し成形で一体成形することが好ましい。
【００１５】
【発明の実施の形態】
以下、添付図面を参照して、本発明の一実施形態に係る浴室建具について説明する。この浴室は、脱衣室との間に段差を無くしたバリアフリー設計となっており、浴室と脱衣室との間の出入口には、浴室建具として３枚引き戸が取り付けられている。図１は３枚引き戸の縦断面図であり、図２はその横断面図である。両図に示すように、３枚引き戸１は、障子である３枚の引き戸本体２（２ａ，２ｂ，２ｃ）とこれを開閉自在に支持する枠体３とで構成されている。この場合、浴室Ａの浴室床（防水パン）４と、後述する枠体３の下枠１２と、脱衣室Ｂの脱衣室床（木質床）５とはほぼ面一に、すなわち段差が生じないように配設されている。
【００１６】
枠体３は、上枠１１、下枠１２および両縦枠１３，１３を枠組みして構成され、また各引き戸本体２は、それぞれ下部に換気口１４ａを作り込んだ框１４に、パネル体１５を組み込んで構成されている。３枚の引き戸本体２のうち図示右側の引き戸本体２ａは、縦枠１３に固定されており、中間の引き戸本体２ｂと左側の引き戸本体２ｃとがスライドして、３枚引き戸１が開閉される。左側の引き戸本体２ｃには、バリアフリーを考慮した大型のハンドル１６が内外に取り付けられており、このハンドル１６を持って左側の引き戸本体２ｃを開閉移動させると、中間の引き戸本体２ｂもこれに連なって開閉移動する。
【００１７】
図３の拡大図に示すように、下枠１２は、３枚の引き戸本体２ａ，２ｂ，２ｃを直接支持すると共にその開閉を案内する下枠アタッチメント２１と、下枠アタッチメント２１を下側から受けると共に排水流路２２を構成した下枠本体２３と、下枠本体２３の浴室Ａ側端部に装着したブリッジ状カバー２４と、下枠本体２３の脱衣室Ｂ側端部に回動自在に連結した床固定片２５とで構成されている。ブリッジ状カバー２４は、下枠１２と浴室床４との間の段差を解消し、床固定片２５は、下枠１２と脱衣室床５との間の段差を解消し且つこの両者間の高さレベルを調整可能に構成されている（詳細は後述する）。
【００１８】
下枠アタッチメント２１は、アルミニウムの形材等で構成され、ベースプレート２７と、ベースプレート２７の上面に交互に立設した３本のレール部２８，２８，２８およびシール片取付部２９と、ベースプレート２７の浴室Ａ側、脱衣室Ｂ側および中間部の下面にそれぞれ垂設した３つの脚片部３０，３０，３０とで、一体に形成されている。脱衣室Ｂ側の脚片部３０は屈曲形成されており、この部分を下枠本体２３に掛止するようにして、下枠アタッチメント２１が下枠本体２３に載置されている。
【００１９】
図示では省略したが、各シール片取付部２９には、対応する引き戸本体２の下端部に接触するシール片が取り付けられており、このシール片により、３枚引き戸１を閉塞した状態で排水が脱衣室Ｂ側に流れるのを止水している。そして、この止水ラインから脱衣室Ｂ側に漏れた排水が、ベースプレート２７に形成した排水孔から下枠本体２３上の排水流路２２に流下するようになっている。
【００２０】
下枠本体２３は、アルミニウムの形材等で構成され、浴室Ａ側の第１中空部３１と、第１中空部３１の脱衣室Ｂ側に隣接する第２中空部３２と、脱衣室Ｂ側の第３中空部３３と、第２中空部３２と第３中空部３３とを連結する底板部３４と、第３中空部３３の脱衣室Ｂ側端から立ち上がって水平に延び、上記の床固定片２５に連なる露出部３５とで、一体に形成されている。そして、第２中空部３２、底板部３４および第３中空部３３により囲まれた部分には、上記の排水流路２２が構成されている。また、下枠本体２３の露出部３５の脱衣室Ｂ側端部には、断面略「Ｃ」字状の下枠連結部３６が形成されており、この下枠連結部３６に上記の床固定片２５が回動自在に連結されている。さらに、第１中空部３１の上側には、上向きの浅いあり溝３７が形成されており、このあり溝３７に上側から上記のブリッジ状カバー２４が装着されている。
【００２１】
ブリッジ状カバー２４は、樹脂やゴム等で構成され、平坦な板状のカバー本体３９と、カバー本体３９の下面に突出形成した一対の掛止片４０，４０とで、一体に形成されている。一対の掛止片４０，４０は、上記の第１中空部３１のあり溝３７に係止されており、この状態でカバー本体３９の浴室Ａ側が浴室床４（の床面）に密着している。カバー本体３９の浴室Ａ側端部は、傾斜面となっており、下枠１２と浴室床４との間に掛け渡したこのブリッジ状カバー２４により、下枠１２と浴室床４との間の水密性が確保され且つこの両者間に段差が生じないようになっている。
【００２２】
図４および図５に示すように、床固定片２５は、樹脂やアルミニウムの形材等で構成され、下枠本体２３の下枠連結部３６に内包される固定片連結部４２と、先端部が下向きに湾曲すると共に脱衣室床５にビス止めされる固定片本体４３とで、一体に形成されている。また、下枠連結部３６と固定片連結部４２との連結部分には、両者間の間隙を覆うように樹脂製の連結部カバー４４が装着されている。
【００２３】
連結部カバー４４は、固定片連結部４２の上側に位置して、固定片連結部４２と共に下枠本体２３の下枠連結部３６に内包される断面略「Ｊ」字状のカバー本体４６と、カバー本体４６の下部から下向きに突出する係合突起４７と、カバー本体４６の上部から浴室Ａ側に延在する浴室側鰭片４８と、カバー本体４６の上部から脱衣室Ｂ側に延在する脱衣室側鰭片４９とで構成されている。この場合、連結部カバー４４は、例えばカバー本体４６および係合突起４７を硬質の樹脂とし、浴室側鰭片４８および脱衣室側鰭片４９を軟質の樹脂として、複合押出し成形により一体に形成されていることが、好ましい。
【００２４】
カバー本体４６は、下枠連結部３６の上係止部位３６ａを包み込むようにこれに係止され、下枠連結部３６は、固定片連結部４２に上側から係合している。また、浴室側鰭片４８は、下枠本体２３の露出部３５に上側から水密に接触し、同様に脱衣室側鰭片４９は、固定片本体４３に上側から水密に接触している。すなわち、連結部カバー４４は、下部で下枠連結部３６と固定片連結部４２との間に介設され、上部で露出部３５および床固定片２５の上面間に渡たるように連結部分を覆ってこの部分をシールしている。
【００２５】
一方、床固定片２５の固定片連結部４２は、段部４２ａを有して断面変形「Ｊ」字状に形成され、内側の凹部位４２ｂに連結部カバー４４の係合突起４７が係合している。これにより、床固定片２５および連結部カバー４４は下枠連結部３６の小口から装着されるが、装着した後は、見込み方向に抜止め状態となる。また、固定片連結部４２は、連結部カバー４４を介して下枠連結部３６の上係止部位３６ａにより先上がりの角度が規制されると共に、その段部４２ａが、下枠連結部３６の下係止部位３６ｂに当接することにより先下がりの角度が規制されている。すなわち、露出部３５に回動自在に取り付けられた床固定片２５は、相互の回動範囲を水平状態から上下浅い角度に角度規制されている。
【００２６】
このように構成された下枠１２は、浴室Ａ内に防水パン（ユニットバス）を設置した後、枠体３全体として施工される。その際、浴室床４に合わせて下枠１２を設置すると、床固定片２５の固定片本体４３が適宜、回動して脱衣室床５に載置される。ここで、施工後の脱衣室床５に対し、下枠１２の高さレベルが低い場合には、床固定片２５は幾分先上がり斜めに載置され、高い場合には、床固定片２５は幾分先下がり斜めに載置される。そして、最後にビスにより床固定片２５を脱衣室床５に固定する。
【００２７】
このように第１実施形態によれば、下枠本体２３に対し床固定片２５が回動自在に取り付けられているため、この部分に段差を生じさせることなく、床固定片２５の脱衣室床５への取付け角度を調節することができる。このため、浴室床４と脱衣室床５との間に高さレベルの施工上の狂いが生じても、これを吸収し３枚引き戸１を適切に施工することができる。また、下枠本体２３に対し床固定片２５の回動範囲が規制され、且つ抜止め状態となっているため、施工時等の取り扱いが容易で、施工性が損なわれることがない。
【００２８】
図６は、第１実施形態の変形例を表している。この変形例では、下枠の露出部３５に形成した下枠連結部３６に、連結部カバー４４が着脱自在に装着されている。下枠連結部３６の上面には窪み部３６ｃが形成され、この窪み部３６ｃの中央に断面略円形の係止突起３６ｄが上向きに形成されている。一方、連結部カバー４４は、係止突起３６ｄに対し係脱する係止溝部４６ａを有するカバー本体４６と、カバー本体４６の上部から見込み方向の両側に延在する浴室側鰭片４８および脱衣室側鰭片４９とで、一体に形成されている（上記と同様に複合押出し成形）。
【００２９】
すなわち、連結部カバー４４は、上側から下枠連結部３６の係止突起３６ｄに押込み形式で着脱自在に構成され、装着した状態で露出部３５および床固定片２５間に跨ぐようにしてこれらに密接し、露出部３５および床固定片２５間をシールしている。このように、下枠１２に対し連結部カバー４４を着脱自在に構成しているため、連結部カバー４４が破損した場合や劣化した場合に、これを簡単に交換することができる。
【００３０】
なお、この変形例では、浴室床（防水パン）４と下枠本体２３との間には、これらの下側にあてがうようにレベル調整枠１８が配設されている。レベル調整枠１８は、浴室床４の端部下面にあてがわれる中空部１８ａと、下枠本体２３の浴室Ａ側半部の下面にあてがわれる水平板部１８ｂとで一体に形成され（アルミニウムの形材）、水平板部１８ｂの部分で下枠１２にビス止めされている。これにより、上記のブリッジ状カバー２４が略水平になるように浴室床４と下枠１２とがレベル調整される。また、上記と同様に、脱衣室床５と下枠１２とは、下枠本体２３に対し床固定片２５が適宜傾くことにより、この両者間のレベル調整が為されている。
【００３１】
図７ないし図９は、本発明の第２実施形態を示している。この実施形態では、浴室建具として片引き戸５０が設けられている。これらの図に示すように、片引き戸５０は、障子である引き戸本体５１と、これを開閉自在に支持する枠体５２と、開放した引き戸本体５１が納まる隔壁Ｃの部分に平行に配設した隔壁パネル５３とで構成されている。この場合、見込み方向の脱衣室Ｂ側に引き戸本体５１が配設され、浴室Ａ側に、開放した引き戸本体５１が納まる隔壁Ｃが配設されている。この場合も、浴室Ａの浴室床（防水パン）４と、後述する枠体３の下枠６２と、脱衣室Ｂの脱衣室床（木質床）５とはほぼ面一に配設されている。
【００３２】
枠体５２は、上枠６１、下枠６２、戸先側縦枠６３、戸尻側縦枠６４および中間部縦枠６５を枠組みして構成され、また引き戸本体５１は、上記と同様に下部に換気口６７ａを作り込んだ框６７に、パネル体６８を組み込んで構成されている。引き戸本体５１の内外には、第１実施形態と同様に、バリアフリーを考慮した大型のハンドル６９，６９が取り付けられており、このハンドル６９を持って引き戸本体５１を開放移動させると、出入口開口が開放すると共に引き戸本体５１が隔壁パネル５３と重なってこれを隠蔽する。また、引き戸本体５１を閉塞動作させると、出入口開口が閉塞すると共に、引き戸本体５１と統一したデザインの隔壁パネル５３が露出する。
【００３３】
戸先側縦枠６３、戸尻側縦枠６４および中間部縦枠６５は、アルミニウムの形材等で構成され、見込み方向の略幅いっぱいに設けられた戸先側縦枠６３に対し、戸尻側縦枠６４には脱衣室Ｂ側に位置する本体枠部６４ａと隔壁パネル５３のパネル取付け部６４ｂとで形成され、中間部縦枠６５には浴室Ａ側に位置する本体枠部６５ａと隔壁パネル５３のパネル取付け部６５ｂとで形成されている。また、上枠６１には、戸先側縦枠６３および戸尻側縦枠６４間において、引き戸本体５１をスライド自在に係合するレール枠７０が延設されている。そして、このレール枠７０には、戸先側縦枠６３および中間部縦枠６５間において出入口開口を構成する開口部上枠７１が、中間部縦枠６５および戸尻側縦枠６４間において隔壁パネル５３を取り付けるための隔壁部上枠７２が、それぞれスナップイン形式で装着されている。
【００３４】
一方、図１０の拡大図に示すように、下枠６２は、戸先側縦枠６３および戸尻側縦枠６４間において、見込み方向の略幅いっぱいに設けられた下枠本体８１と、上記のレール枠７０に対応して下枠本体８１の脱衣室Ｂ側に着座したレールアタッチメント８２と、下枠本体８１の脱衣室Ｂ側端部に回動自在に装着した床固定片８３とを有している。また、下枠６２は、戸先側縦枠６３および中間部縦枠６５間において、上記の開口部上枠７１に対応して下枠本体８１の浴室Ａ側上面に載置したブリッジ状プレート８４を有している。
【００３５】
さらに、下枠６２は、中間部縦枠６４および戸尻側縦枠６５間において、上記の隔壁部上枠７２に対応して下枠本体８１の中間部（見込み方向の中間部）上面に装着した隔壁部下枠８５を有している（図９参照）。そして、この隔壁部下枠８５、上記の両パネル取付け部６４ｂおよび隔壁部上枠６５ｂにより構成した枠体部分に、上記の隔壁パネル５３が押縁形式で取り付けられている。
【００３６】
下枠本体８１は、アルミニウムの形材等で構成され、見込み方向の中間位置に立設した中間部立設片８７により、ブリッジ状プレート８４を支持すると共に排水流路８８を構成した浴室側下枠部８７ａと、レールアタッチメント８２を内包するように載置する脱衣室側下枠部８７ｂとで、一体に形成されている。浴室側下枠部８７ａの浴室Ａ側下部には第１中空部８９が形成され、第１中空部８９から立ち上がった浴室側立設片９０および上記の中間部立設片８７間に、ブリッジ状プレート８４が着脱自在に装着されている。そして、ブリッジ状プレート８４の直下に位置して浴室下枠部８７ａには、第１実施形態と同様に、止水ラインから脱衣室Ｂ側に漏れた排水を受ける排水流路８８が形成されている。
【００３７】
脱衣室側下枠部８７ｂは、下部が第２中空部９１となっており、この第２中空部９１の上側にレールアタッチメント８２が収容されている。レールアタッチメント８２は、アルミニウムの形材等で構成され、係止片８２ａと２つの脚片８２ｂ，８２ｂを有すると共に、その見込み方向の中間部に引き戸本体５１をスライド自在に支持するレール部８２ｃが立設されている。第２中空部９１の脱衣室Ｂ側端には、立ち上がって水平の延びる露出部９２が一体に形成されている。そして、この露出部９２の脱衣室Ｂ側端部には、幾分傾いた断面略「Ｃ」字状の下枠連結部９３が形成されており、この下枠連結部９３に上記の床固定片８３が回動自在に連結されている。
【００３８】
第２実施形態の床固定片８３は、下枠本体８１の下枠連結部９３に内包される固定片連結部９５と、脱衣室床５にビス止めされる固定片本体９６と、固定片連結部９５および固定片本体９６との境界部分から露出部９２に向かって延びるカバー片９７とで構成されている。この場合、床固定片８３は、例えば固定片連結部９５および固定片本体９６を硬質の樹脂とし、カバー片９７を軟質の樹脂として、複合押出し成形により一体に形成されている。
【００３９】
第２実施形態の固定片連結部９５は、断面略半円状のヘッド部位９５ａとヘッド部位９５ａに連なるネック部位９５ｂとから成り、このヘッド部位９５ａが下枠連結部９３に回動可能に内包され、このネック部位９５ｂから固定片本体９６に亘る部分の上面からカバー片９７が延設されている。カバー片９７は、第１実施形態の浴室側鰭片４８と同様に楔状断面を有しており、下枠本体８１の露出部９２に上側から水密に接触している。すなわち、カバー片９７により、露出部９２および床固定片８３の上面間が覆われ、この部分がシールされている。
【００４０】
また、断面「Ｃ」字状の下枠連結部９３の上係止部位９３ａおよび下係止部位９３ｂに、固定片連結部９５のヘッド部位９５ａのネック部位９５ｂ側が回動規制されて、第１実施形態と同様に、床固定片８３は、相互の回動範囲を水平状態から上下浅い角度に角度規制されている。この場合も、床固定片８３は下枠連結部９３の小口から装着されるようになっている。そして、施工後の脱衣室床５に対し、下枠６２の高さレベルが低い場合には、床固定片８３は幾分先上がり斜めに載置され、高い場合には、床固定片８３は幾分先下がり斜めに載置される。そして、最終的にビスにより床固定片８３が脱衣室床５に固定される。
【００４１】
このように第２実施形態によれば、第１実施形態と同様に、下枠本体８１に対し床固定片８３が回動自在に取り付けられているため、この部分に段差を生じさせることなく、床固定片８３の脱衣室床５への取付け角度を調節することができる。また、下枠本体８１に対し床固定片８３の回動範囲が規制され、且つ抜止め状態となっているため、施工時等の取り扱いが容易で、施工性が損なわれることがない。
【００４２】
なお、上記の両実施形態では、下枠側の下枠連結部を断面略「Ｃ」字状とし、床固定片側の固定片連結部をこれに内包する略相補的な断面形状としたが、両者の断面形状を逆にして回動可能なものとしてもよい。もっとも、床固定片を、下枠連結部側が折曲げ自在な樹脂等で構成し、脱衣室床に対し角度調節可能に構成してもよい。また言うまでもないが、本発明の浴室建具は、上記の３枚引き戸および片引き戸の他、２枚引き戸、折戸およびドア等にも適用可能である。
【００４３】
【発明の効果】
以上のように本発明の浴室建具によれば、下枠本体に対し、下枠の脱衣室側端部を構成する床固定片が角度調節可能に連結されているため、下枠と脱衣室床との高さレベルの調節を床固定片の設置角度で調整することができる。このため、下枠と脱衣室床との間に段差を生じさせることなく、下枠の脱衣室側端部とこれが固定される脱衣室床との高さレベルを、簡単に調整することができる。
【図面の簡単な説明】
【図１】本発明の一実施形態に係る３枚引き戸の縦断面図である。
【図２】実施形態に係る３枚引き戸の横断面図である。
【図３】３枚引き戸の下枠廻りの拡大縦断面図である。
【図４】下枠の床固定片廻りの拡大断面図である。
【図５】連結部カバーの拡大断面図である。
【図６】第１実施形態の変形例に係る３枚引き戸の下枠廻りの拡大縦断面図である。
【図７】本発明の第２実施形態に係る片引き戸の縦断面図である。
【図８】第２実施形態に係る片引き戸の隔壁側における縦断面図である。
【図９】第２実施形態に係る片引き戸の横断面図である。
【図１０】片引き戸の下枠廻りの拡大縦断面図である。
【符号の説明】
１　３枚引き戸（浴室建具）、２　引き戸本体（建具本体）、３　枠体（建具枠）、４　浴室床、５　脱衣室床、１２　下枠、２３　下枠本体、２５　床固定片、３５　露出部、３６　下枠連結部、３６ａ　上係止部位、３６ｂ　下係止部位、３６ｄ　係止突起、４２　固定片連結部、４３　固定片本体、４４　連結部カバー、４６ａ　係止溝部、５０　片引き戸（浴室建具）、５１　引き戸本体（建具本体）、５２　枠体（建具枠）、６２　下枠、８１　下枠本体、８３　床固定片、９２　露出部、９３　下枠連結部、９３ａ　上係止部位、９３ｂ　下係止部位、９５　固定片連結部、９６　固定片本体、９７　カバー片、Ａ　浴室、Ｂ脱衣室
【図１】
2004076288.tif 000003
【図２】
2004076288.tif 000004
【図３】
2004076288.tif 000005
【図４】
2004076288.tif 000006
【図５】
2004076288.tif 000007
【図６】
2004076288.tif 000008
【図７】
2004076288.tif 000009
【図８】
2004076288.tif 000010
【図９】
2004076288.tif 000011
【図１０】
2004076288.tif 000012